(57)【要約】  【課題】  記録媒体としてのディスクを回転自在に収容する上シェルおよび下シェルと、これらの間の周縁の一部に延在するフレームとからなるハウジングを有した小型ディスクカートリッジにおいて、ハウジングの組立時の作業性を向上させるとともに、ハウジングの強度の低下を防止する。【解決手段】  上下シェル３，４に一体に組み込まれるフレーム２に２つの係合孔２ｆを設ける。また、上シェル３には中心に切込み２０ａが形成された２つの板状の係合部２０を設け、下シェル４には中心に切込み２１ａが形成された２つの係合部２１を設け、係合部２０と係合部２１とが、板面が互いに交差し、かつ切込み２０ａと切込み２１ａとが互いに対向するように配置し、互いに対向する切込み２０ａおよび切込み２１ａをフレーム２の同じ係合孔２ｆに各々圧入して係合孔２ｆと係合させるとともに、係合部２０と係合部２１とを係合孔２ｆ内で互いに係合させる。【選択図】        図１
2005302192.tif 000002
【特許請求の範囲】
【請求項１】
記録媒体としてのディスクを回転自在に収容する上シェルおよび下シェルと、前記上シェルおよび前記下シェルの間にあって、前記上シェルおよび前記下シェルの周縁の一部に延在するフレームとからなり、前記上シェルおよび前記下シェルの各々が前記フレームに形成された係合孔と係合する係合部を備えてなるハウジングを有した小型ディスクカートリッジにおいて、
前記上シェルの前記係合部および前記下シェルの前記係合部が、前記フレームの同一の前記係合孔を介して互いに係合するものであることを特徴とする小型ディスクカートリッジ。
【請求項２】
前記上下シェルの各々の前記係合部が、切込みが設けられた板状部材であり、
前記上シェルの前記板状部材の前記切込みと前記下シェルの前記板状部材の前記切込みとが互いに係合するように配置されていることを特徴とする請求項１記載の小型ディスクカートリッジ。
【発明の詳細な説明】
【技術分野】
【０００１】
本発明は、デジタルカメラやパソコン等に装填して使用される記録媒体としての小型ディスクカートリッジに関し、特にそのディスクを回転自在に収容するハウジングの構造に関するものである。
【背景技術】
【０００２】
従来、デジタルカメラ等のモバイル機器においては、記録媒体として例えば特許文献１に記載されているような超小型の磁気ディクカートリッジが使用されている。
【０００３】
この小型ディスクカートリッジ１は、図４（ａ）〜（ｃ）にそのロータリーシャッター７が閉状態にある平面図、右側面図および底面図を、図５（ａ），（ｂ）にロータリーシャッター７が開状態にある平面図および底面図を、図６にその分解斜視図をそれぞれ示すように、カートリッジをモバイル機器に押し込んで装填する際に指で押す部分となる押込み部２ａを外縁に有する樹脂製のフレーム２と、このフレーム２と一体的に組み立てられる金属薄板からなる上下シェル３，４とによって構成された扁平なハウジング内に、磁気ディスク５を回転自在に収容してなるものである。
【０００４】
この小型ディスクカートリッジ１は、図示しないドライブ装置に挿入態様で装填されるように構成され、そのハウジングには、ドライブ装置が備えている磁気ヘッド（記録再生ヘッド）を磁気ディスク５の表面にアクセスさせるためのＶ字状の開口部６と、この開口部６を開閉するためハウジングに回転自在に取り付けられたロータリーシャッター７とが設けられている。
【０００５】
ハウジングの開口部６とほぼ同一形状のＶ字状の開口部７ａを備えた円形のロータリーシャッター７は、内側に磁気ディスク５を収容する空間をもって互いに係合された上下のシャッター部材７Ｕ、７Ｄ（図６参照）からなり、上シャッター部材７Ｕは上シェル３に、下シャッター部材７Ｄは下シェル４にそれぞれ回転可能に取り付けられている。そして、磁気ディスク５と上下のシャッター部材７Ｕ、７Ｄとの間には、それぞれ不織布等でシート状に構成されたライナー１８が介挿されている。
【０００６】
また、図４（ａ）におけるハウジングの左側面先端部には、ドライブ装置の係合部材に係合させて、ドライブ装置内での位置決めを確実にするためのノッチ８が形成され、右側面先端部には、図４（ｂ）に示すように、ロータリーシャッター７を閉位置にロックするためのシャッターロック部材１１を外部に臨ませる小窓９が形成されている。
【０００７】
ハウジングの下シェル４には、その中央に磁気ディスク５のセンタコア１０を外部に臨ませる円形の中心孔４ａが形成され、その周縁部にロータリーシャッター７と同心的な円弧状開口４ｂが形成され、下シャッター部材７Ｄのノブ固定孔７ｇには、上記円弧状開口４ｂから下シェル４の外に突出しかつこの円弧状開口４ｂに沿って移動してロータリーシャッター７を開閉するシャッターノブ７ｂが固着されている。
【０００８】
次にロータリーシャッター７のシャッターロック機構およびシャッターばね機構について説明する。図７（ａ）は小型ディスクカートリッジ１のロータリーシャッター７が閉位置にあるときの状態を、図７（ｂ）はロータリーシャッター７が開位置にある状態を、それぞれシャッターロック部材１１を残して上シェル３のみを取り除きかつ磁気ディスク５を省略して示す平面図である。
【０００９】
ロータリーシャッター７を閉位置にロックするシャッターロック部材１１は、ロータリーシャッター７の外周に形成された係合凹部７ｃに係入し得る係合凸部１１ａを先端に備えて、上シェル３に設けられた軸１２に回動自在に取り付けられているとともに、バネ板１１ｂによって、上記係合凸部１１ａが上記係合凹部７ｃに係入し得る方向（図７の反時計方向）にバネ付勢されている。
【００１０】
そして、小型ディスクカートリッジ１がドライブ装置へ挿入される際に、ドライブ装置のロック解除部材（図示せず）が小窓９を通してシャッターロック部材１１を押圧することにより、ロック部材１１が時計方向に僅かに回動されて、係合凸部１１ａが係合凹部７ｃから脱出することによって、ロータリーシャッター７のロックが解除される。
【００１１】
ロータリーシャッター７を閉方向に付勢するシャッターばね機構は、ガイドワイヤー１５およびこのガイドワイヤー１５上をスライドする圧縮ばね１４からなり、圧縮バネ１４に挿通されたガイドワイヤー１５の両端はフレーム２の両端のワイヤー係止部２ｂに係止されており、また圧縮バネ１４の一端はロータリーシャッター７に形成されたバネ係止部７ｆに係止され、他端は圧縮バネ１４の自己復元力によりフレーム２の左側のワイヤー係止部２ｂへ押圧された状態となっている。そしてフレーム２とロータリーシャッター７の外周縁との間に形成された円弧状のバネガイド溝２ｃ内に収容され、ロータリーシャッター７の図中時計方向への開動作に伴って、図７（ｂ）に示すように圧縮バネ１４が圧縮されるように構成されている。
【００１２】
そして、小型ディスクカートリッジ１がドライブ装置に挿入されると、先ずロック解除部材がシャッターロック部材１１を押圧してロータリーシャッター７のロック状態を解除し、その状態でシャッターノブ７ｂがドライブ装置のシャッターノブ係止壁に係合するから、小型ディスクカートリッジ１の押し込みに伴ってロータリーシャッター７が圧縮バネ１４を圧縮しながら回動されて、図５（ａ），（ｂ）および図７（ｂ）に示すように開状態となる。
【特許文献１】米国特許第６２５６１６８号明細書
【発明の開示】
【発明が解決しようとする課題】
【００１３】
ところで、上述した従来の小型ディスクカートリッジ１のハウジングの組立ては、図６に示すように、上シェル３に一体に形成された２つの係合部３ｃをフレーム２の２つの係合孔２ｄに各々圧入し、下シェル４に一体に形成された２つの係合部４ｃをフレーム２の２つ係合孔２ｅに各々圧入して、上下シェル３，４およびフレーム２を係合させて仮組みした後、上下シェル３，４の側面の複数箇所を溶接するという手順で行われるが、仮組時に上シェル３の係合部３ｃがフレーム２の係合孔２ｄから外れてしまったり、同様に下シェル４の係合部４ｃがフレーム２の係合孔２ｅから外れてしまったりして、上シェル３もしくは下シェル４とフレーム２とが分離してしまうことがあるため、組立時の作業性が良好ではなく、この係合部についての改善が望まれていた。
【００１４】
また、フレーム２には、上下シェル３，４の係合部３ｃ，４ｃを係合させるための係合孔２ｄ，２ｅが合計４箇所設けられており、これによりフレーム２の強度が低下し、ハウジング全体の強度が低下するおそれがあった。
【００１５】
本発明は上記問題に鑑みてなされたものであり、記録媒体としてのディスクを回転自在に収容する上シェルおよび下シェルと、上シェルおよび下シェルの間にあって、上シェルおよび下シェルの周縁の一部に延在するフレームとからなり、上シェルおよび下シェルの各々がフレームに形成された係合孔と係合する係合部を備えてなるハウジングを有した小型ディスクカートリッジにおいて、ハウジングの組立時の作業性を向上させるとともに、ハウジングの強度の低下を防止することを目的とするものである。
【課題を解決するための手段】
【００１６】
本発明による小型ディスクカートリッジは、記録媒体としてのディスクを回転自在に収容する上シェルおよび下シェルと、上シェルおよび下シェルの間にあって、上シェルおよび下シェルの周縁の一部に延在するフレームとからなり、上シェルおよび下シェルの各々がフレームに形成された係合孔と係合する係合部を備えてなるハウジングを有した小型ディスクカートリッジにおいて、上シェルの係合部および下シェルの係合部が、フレームの同一の係合孔を介して互いに係合するものであることを特徴とするものである。
【００１７】
本発明による小型ディスクカートリッジにおいては、上下シェルの各々の係合部を切込みが設けられた板状部材とし、上シェルの板状部材の切込みと下シェルの板状部材の切込みとが互いに係合するように配置してもよい。
【発明の効果】
【００１８】
本発明によれば、記録媒体としてのディスクを回転自在に収容する上シェルおよび下シェルと、上シェルおよび下シェルの間にあって、上シェルおよび下シェルの周縁の一部に延在するフレームとからなり、上シェルおよび下シェルの各々がフレームに形成された係合孔と係合する係合部を備えてなるハウジングを有した小型ディスクカートリッジにおいて、上シェルの係合部および下シェルの係合部を、フレームの同一の係合孔を介して互いに係合するものとして、上シェルとフレームとの係合、下シェルとフレームとの係合に加えて、上シェルと下シェルとも係合させることにより、ハウジングの仮組時の係合力を向上させることができるため、ハウジングの組立時の作業性を向上させることができる。
【００１９】
また、上シェルの係合部および下シェルの係合部をフレームの同一の係合孔を介して係合させることにより、上シェルの係合部および下シェルの係合部をそれぞれ異なる係合孔に係合させる従来の態様と比較してフレームに設ける係合孔の数を少なくすることができるため、フレームの強度の低下が少なく、これによりハウジング全体の強度の低下を防止することができる。
【００２０】
また、上下シェルの各々の係合部を切込みが設けられた板状部材とし、上シェルの板状部材の切込みと下シェルの板状部材の切込みとが互いに嵌合するように配置することにより、本発明による小型ディスクカートリッジのハウジングを容易に実現することができる。
【発明を実施するための最良の形態】
【００２１】
以下、本発明の実施の形態について、図面を参照して詳細に説明する。
【００２２】
図１は、本発明による小型ディスクカートリッジの一実施の形態を示す要部の分解斜視図、図２はこの小型ディスクカートリッジの要部の拡大図である。
【００２３】
本実施の形態は、フレーム２および上下シェル３，４の構成を除き、図４〜図７を参照して説明した従来の小型ディスクカートリッジ１と同様の構成を有するから、同一部材には同一符号を付し、重複する説明は省略する。
【００２４】
図１および図２には、フレーム２および上下シェル３，４のみが示されている。
【００２５】
フレーム２は、内側をディスク外周に沿った円弧状とし、外側を上下シェル３，４の外周に沿った円弧状部を中央に有するとともに両端に上下シェル３，４の外へ張り出す三角部を有するコ字状とした成形部品で、例えばハイインパクトポリスチレン等の軽量かつ剛性のあるプラスチックにより成形されており、両端部に各々１つずつ、合計２つの係合孔２ｆが形成されている。また、ステンレス等の金属板をプレス加工して作成される上シェル３には２つの板状の係合部２０が一体に形成されており、同様にして作成される下シェル４にも係合部２０に対向する位置に２つの板状の係合部２１が一体に形成されている。
【００２６】
上シェル３の係合部２０は、先端から根元にむけて中心に切込み２０ａが形成されており、また、両側縁部には先端から徐々に拡幅するアンカー部２０ｂが形成されている。下シェル４の係合部２１も同様に、先端から根元にむけて中心に切込み２１ａが形成されており、また、両側縁部には先端から徐々に拡幅するアンカー部２１ｂが形成されている。係合部２０と係合部２１とは、板面が互いに交差し、かつ切込み２０ａと切込み２１ａとが互いに対向するように配置されている。
【００２７】
係合部２０のアンカー部２０ｂの最大幅は係合孔２ｆの内径よりも若干大きく、係合部２０を係合孔２ｆに圧入した際に、アンカー部２０ｂが係合孔２ｆの内壁に圧接するように構成されている。同様に、係合部２１のアンカー部２１ｂの最大幅も係合孔２ｆの内径よりも若干大きく、係合部２１を係合孔２ｆに圧入した際に、アンカー部２１ｂが係合孔２ｆの内壁に圧接するように構成されている。
【００２８】
また、係合部２０の切込み２０ａの幅は係合部２１の厚さと等しいかそれより僅かに小さく、同様に係合部２１の切込み２１ａの幅も係合部２０の厚さと等しいかそれより僅かに小さく、互いに対向する係合部２０および係合部２１を係合孔２ｆに圧入した際に、切込み２０ａが係合部２１を挟持し、切込み２１ａが係合部２０を挟持して、両切込み２０ａ、２１ａが互いに嵌合することにより、係合部２０と係合部２１とが係合孔２ｆ内で互いに係合するように構成されている。
【００２９】
互いに対向している上シェル３の係合部２０および下シェル４の係合部２１は、フレーム２の同じ係合孔２ｆに各々圧入されて係合孔２ｆと係合するとともに、係合部２０と係合部２１とが係合孔２ｆ内で互いに係合するため、従来と比べてハウジングの仮組時の係合力を向上させることができるため、ハウジングの組立時の作業性を向上させることができる。
【００３０】
また、互いに対向する上シェル３の係合部２０および下シェル４の係合部２１を、フレーム２の同一の係合孔２ｆを介して係合させているため、係合部２０および係合部２１をそれぞれ異なる係合孔に係合させる従来の態様と比較して、係合孔２ｆの数を半分の数にできるため、フレーム２の強度の低下を少なくすることができ、これによりハウジング全体の強度の低下を防止することができる。
【００３１】
なお、上下シェルに形成する係合部の態様は上記に限定されるものではなく、例えば図３に示すように、上下シェル３，４ともにコ字状に折り曲げられた係合部２２、２３を設け、係合部２２の幅Ｗ１を係合部２３の幅Ｗ２よりも若干広く形成し、係合部２２、２３の開辺が互いに対向するように配置して、互いに対向する係合部２２および係合部２３を係合孔２ｆに圧入した際に、係合孔２ｆ内で互いに係合するように構成してもよい。
【図面の簡単な説明】
【００３２】
【図１】本発明の一実施の形態の小型ディスクカートリッジの要部の分解斜視図
【図２】図１の小型ディスクカートリッジの上下シェルの係合部の拡大図
【図３】小型ディスクカートリッジのその他の態様の上下シェルの係合部の拡大図
【図４】従来の小型ディスクカートリッジのロータリーシャッターの閉状態を示す平面図（ａ）、右側面図（ｂ）および底面図（ｃ）
【図５】図４の小型ディスクカートリッジのロータリーシャッターの開状態を示す平面図（ａ）および底面図（ｂ）
【図６】図４の小型ディスクカートリッジの分解斜視図
【図７】図４の小型ディスクカートリッジの、ロータリーシャッターの閉状態を上シェルを取り除きかつ磁気ディスクを省略して示す平面図（ａ）、ロータリーシャッターの開状態を上シェルを取り除きかつ磁気ディスクを省略して示す平面図（ｂ）
【符号の説明】
【００３３】
２    フレーム
３    上シェル
４    下シェル
５    磁気ディスク
７    ロータリーシャッター
７Ｕ    上シャッタ部材
７Ｄ    下シャッタ部材
１４    圧縮バネ
１５    ガイドワイヤー
２０、２２    係合部
２１、２３    係合部
【図１】
2005302192.tif 000003
【図２】
2005302192.tif 000004
【図３】
2005302192.tif 000005
【図４】
2005302192.tif 000006
【図５】
2005302192.tif 000007
【図６】
2005302192.tif 000008
【図７】
2005302192.tif 000009